(57)【要約】【課題】生体情報処理装置において、スイッチング電源で発生する電気的ノイズに起因するＳ／Ｎの低下を抑制するための技術を提供する。【解決手段】生体情報処理装置が、生体から取得されるアナログ信号を処理する信号処理回路と、前記信号処理回路に電力を供給するスイッチング電源と、を備える。前記スイッチング電源は、制御信号に従ってオン／オフ動作を行うスイッチング素子を有する１次側回路と、容量を有する２次側回路と、前記スイッチング素子に対して前記制御信号を出力する制御回路とを備える。前記制御回路は、前記信号処理回路が前記アナログ信号を処理する期間、前記スイッチング素子のオン／オフ動作を停止する制御信号を出力する。前記信号処理回路が前記アナログ信号を処理する期間は、前記容量に蓄積された電荷により、前記信号処理回路への電力が供給される。【選択図】図３
2011067518.tif 000002
【特許請求の範囲】
【請求項１】
生体から取得されるアナログ信号を処理する信号処理回路と、
前記信号処理回路に電力を供給するスイッチング電源と、を備え、
前記スイッチング電源は、制御信号に従ってオン／オフ動作を行うスイッチング素子を有する１次側回路と、容量を有する２次側回路と、前記スイッチング素子に対して前記制御信号を出力する制御回路とを備え、
前記制御回路は、前記信号処理回路が前記アナログ信号を処理する期間、前記スイッチング素子のオン／オフ動作を停止する制御信号を出力することを特徴とする生体情報処理装置。
【請求項２】
前記信号処理回路が前記アナログ信号を処理する期間は、前記容量に蓄積された電荷により、前記信号処理回路への電力が供給されることを特徴とする請求項１に記載の生体情報処理装置。
【請求項３】
前記信号処理回路は、前記アナログ信号をデジタル信号に変換する回路であることを特徴とする請求項１または２に記載の生体情報処理装置。
【請求項４】
前記信号処理回路は、前記アナログ信号を積分する回路であることを特徴とする請求項１または２に記載の生体情報処理装置。
【請求項５】
前記信号処理回路は、前記アナログ信号を所定期間保持する回路であることを特徴とする請求項１または２に記載の生体情報処理装置。
【請求項６】
前記制御回路は、前記信号処理回路が前記アナログ信号をデジタル信号に変換する期間と前記信号処理回路が前記デジタル信号をメモリに書き込む期間とを合わせた期間、前記スイッチング素子のオン／オフ動作を停止する制御信号を出力することを特徴とする請求項３に記載の生体情報処理装置。
【発明の詳細な説明】
【技術分野】
【０００１】
本発明は、スイッチング電源を用いた生体情報処理装置の電源制御に関する。
【背景技術】
【０００２】
Ｘ線、超音波、ＭＲＩ（核磁気共鳴法）などを用いて生体内の情報を取得する生体情報処理装置が診断に利用されている。また最近では、パルス光を生体内に伝播させ、その伝播光の吸収によって発生した光音響波を生体表面で検知し、生体内の初期発生圧力分布あるいは光吸収係数値分布を取得する光音響イメージング装置も注目されている。光音響イメージング（光音響トモグラフィー）の主なメリットは、高い組織コントラストである。
【０００３】
このような生体情報処理装置に用いられる電源に関して説明を行う。交流を直流に変換するための電源としては、従来、大きく分けて、シリーズ電源とスイッチング電源と呼ばれる電源が用いられている。シリーズ電源は、交流電源をトランス変圧器により所望の電圧に変圧後、整流素子で直流に整流し、インダクタンス、コンダクタンス等により、残った脈流を平滑し出力するものである。シリーズ電源は、交流から直流への変換効率が低い、形状が大きい、重い、交流電源に大きな電流を必要とする、無効発生熱を排出する手段が必要となる、などの問題がある。一方、スイッチング電源は、シリーズ電源の上記のような問題を軽減するため、交流から直流への変換効率を改善したものである。
【０００４】
図８は従来のスイッチング電源装置の回路構成を示している。トランスＴの１次巻線ｎ１には、商用交流電流ＶａｃをダイオードＤ１乃至Ｄ４によって整流し直流電流化した電流が供給される。平滑用コンデンサＣ１は１次巻線ｎ１に接続され、整流されたあと残った脈流を平滑化する。この直流電流は、トランジスタ等のスイッチング素子Ｑ１によってオン・オフされる。２次側回路は、２次巻線ｎ２と、この２次巻線ｎ２に誘起されるスイッチング電流を整流するダイオードＤ５およびＤ６、高周波成分を除去するチョークコイルＬ１、平滑化して出力電圧を得るコンデンサＣ２を有している。また、出力電圧を安定化するため、直流安定化回路が設けられている。具体的には、出力電圧（端子Ｓｉｇ２−Ｓｉｇ３の間の電圧）を抵抗Ｒ１およびＲ２で分圧して検出電圧を得て、その検出電圧と基準電圧源２４の基準電圧とを電圧比較器２３で比較する。電圧比較器２３は、検出電圧が基準電圧より大きい場合はＰＷＭ制御部４１がオフとなる信号を出力し、逆の場合はＰＷＭ制御部４１がオンとなる信号を出力する。ＰＷＭ制御部４１が、この信号に基づき生成したＰＷＭ制御信号をスイッチング素子Ｑ１に送出することにより、出力電圧が一定になるよう制御される。スイッチング・レギュレータでは、商用電源を直接整流した直流を入力源とするため、入力側は電流が少なくて済む。また、動作周波数は高く、平滑のためのコンデンサも容量の少ないものでよい。また、スイッチング電源の直流出力に関しては、電圧レギュレータを用いて所望の電圧まで電圧を調整降下させ電圧の平滑化を図る方法も知られている。なお、特許文献１には、圧縮機用のスイッチング電源装置において、電源が瞬断したときに、ＤＣ電源を蓄積するコンデンサから直流回路に電源を供給する方法が開示されている。
【先行技術文献】
【特許文献】
【０００５】
【特許文献１】特開２００８−１４５９９号公報
【発明の概要】
【発明が解決しようとする課題】
【０００６】
しかしながら、スイッチング電源では、動作時に常時発振するスイッチング部分がある
ために、そのスイッチング部分から発生する電気的ノイズが信号に混入することを回避することが難しい。それゆえ、生体情報処理装置のように、生体から取得する微弱なアナログ信号を取り扱う装置に対して、従来のスイッチング電源を適用することが困難であった。
【０００７】
以下に、スイッチング電源でノイズが発生する理由を述べる。図８の電源回路において、入力が商用電源のＡＣ１００Ｖであれば、ダイオードＤ１乃至Ｄ４と電界コンデンサＣ１で整流平滑された電圧Ｖｄｃは、Ｖｄｃ＝√２×Ｖａｃとなる。この整流平滑された直流電圧ＶｄｃをトランジスタＱ１でスイッチングし、図９のように高周波電力に変換する。図９のＶｉｎはＶｄｃと等しい。また図９のＴ１はトランジスタＱ１がオフの期間、Ｔ２はトランジスタＱ１がオンの期間である。このような発振動作により、この電源はスイッチング電源と呼ばれている。
【０００８】
ここで、ダイオードＤ１乃至Ｄ４と電界コンデンサＣ１で整流しているとはいえ、入力の商用電源ラインを直接高速スイッチングすることになるため、スイッチングされた電流が商用電源ラインを流れて約数百ｍＶのノイズを発生させる。また、ダイオードＤ５、Ｄ６の逆回復時間によって起こる貫通電流が、トランジスタＱ１のオンまたはオフ時にサージ・ノイズを発生する。
【０００９】
生体情報処理装置で微弱なアナログ信号処理が行われている期間に上記のようなノイズが発生すると、信号よりノイズのレベルの方が大きくなり、必要とされる信号ノイズ比（以下、Ｓ／Ｎと称す）を得ることができなくなる。なお、電圧レギュレータを用いて所望の電圧まで電圧を調整降下させ電圧の平滑化をはかったとしても、入力の商用電源ラインを高速スイッチングすることに起因するノイズは低減されない。
【００１０】
本発明は上記実情に鑑みてなされたものであり、その目的とするところは、生体情報処理装置に好ましく適用可能なスイッチング電源を提供することにある。具体的には、生体情報処理装置において、スイッチング電源で発生する電気的ノイズに起因するＳ／Ｎの低下を抑制するための技術を提供することにある。
【課題を解決するための手段】
【００１１】
本発明に係る生体情報処理装置は、生体から取得されるアナログ信号を処理する信号処理回路と、前記信号処理回路に電力を供給するスイッチング電源と、を備え、前記スイッチング電源は、制御信号に従ってオン／オフ動作を行うスイッチング素子を有する１次側回路と、容量を有する２次側回路と、前記スイッチング素子に対して前記制御信号を出力する制御回路とを備え、前記制御回路は、前記信号処理回路が前記アナログ信号を処理する期間、前記スイッチング素子のオン／オフ動作を停止する制御信号を出力する。
【発明の効果】
【００１２】
本発明によれば、生体情報処理装置において、スイッチング電源で発生する電気的ノイズに起因するＳ／Ｎの低下を抑制することができる。
【図面の簡単な説明】
【００１３】
【図１】光音響トモグラフィーの一例を示す模式図。
【図２】光音響トモグラフィー装置の音響波受信部を示す図。
【図３】スイッチング電源の回路構成を示す図。
【図４】第１実施形態の信号処理回路の構成例を示す図。
【図５】発振停止信号、ゲート制御信号、ドレイン−ソース間電圧の一例を示す図。
【図６】第２実施形態の信号処理回路の構成例を示す図。
【図７】第３実施形態の信号処理回路の構成例を示す図。
【図８】従来のスイッチング電源の回路構成を示す図。
【図９】スイッチング素子のドレイン−ソース間電圧の一例を示す図。
【発明を実施するための形態】
【００１４】
本発明は、生体から取得されるアナログ信号を処理する信号処理回路を備える生体情報処理装置に関する。より詳しくは、本発明は信号処理回路に電力を供給するスイッチング電源の制御方法に関する。以下に述べる実施形態では、生体情報処理装置の一例として、乳癌検査などに利用される光音響トモグラフィー（ＰＡＴ）について説明する。ただし、本発明の適用範囲はＰＡＴに限られず、Ｘ線ＣＴ、超音波診断装置、ＭＲＩなどの各種の測定装置・診断装置に本発明を適用可能である。すなわち、微弱なアナログ信号を用いて生体情報の取得や断層像の生成を行う装置であれば、どのような種類の装置に対しても本発明は好適に適用できる。なお、「微弱なアナログ信号」とは、例えば、生体情報の取得のために４０ｄＢ以上の増幅が必要なアナログ信号のことである。
【００１５】
スイッチング電源は、概略、１次側回路（入力側回路）と、２次側回路（出力側回路）と、１次側回路のスイッチング素子を制御する制御回路とから構成され、制御回路がスイッチング素子のオン／オフ動作を制御することで出力電圧が所望の値に制御される。具体的な回路構成は後述する。本発明では、信号処理回路がアナログ信号を処理している期間は、スイッチング素子のオン／オフ動作を停止する制御信号を制御回路がスイッチング素子に供給し、電源の発振を停止する。これにより、アナログ信号の処理期間中にスイッチング電源でノイズが発生することを防止でき、Ｓ／Ｎの低下を抑制することができる。なお、この期間は、２次側回路に設けられたコンデンサやインダンクタに蓄積された電荷により、信号処理回路への電力供給を行えばよい。スイッチング電源には、交流から直流をえる方式、直流から直流をえる方式など様々な方式があるが、本発明は、発振を伴う電圧変換装置であればいかなる方式の電源にも好ましく適用できる。
【００１６】
信号処理回路としては、例えば、アナログ信号をデジタル信号に変換する回路（ＡＤ変換器）、アナログ信号を積分する回路（積分回路）、アナログ信号を所定期間保持する回路（サンプル・ホールド回路）などがある。ＡＤ変換器の場合は、アナログ信号をデジタル信号に変換する期間とデジタル信号をメモリに書き込む（保持する）期間とを合わせた期間のあいだ、電源の発振を停止することが好ましい。
【００１７】
（第１実施形態）
以下、本発明の第１実施形態について図面を用いて詳細に説明する。ここでは生体情報処理装置の一つである光音響トモグラフィー装置に本発明を適用した例について説明する。
【００１８】
図１は、光音響トモグラフィーの一例を示す模式図である。ここで、光源１は乳房６に光を照射するためのレーザー光源である。被検体である乳房６は、図１に示すように、透明圧迫板９、および、それに対向した圧迫板８により薄く変形される。この理由は、光が生体を透過し難いためである。すなわち、光音響トモグラフィーでは、十分な検査が行えるように、観察部位に光が到達する厚さまで被検体を圧迫する。
【００１９】
光源１から乳房６の表面に光２を照射すると、拡散光３が乳房６の内部を伝播する。乳房６内に血管の塊などの光吸収体７が存在する場合、この光吸収体７が拡散光３のエネルギーの一部を吸収して体積膨張し、弾性波（音波、超音波）４が発生する。この現象を光音響現象と呼び、光音響現象により発生する弾性波を光音響波と呼ぶ。この光音響波４を超音波プローブ５で受信し、電気信号に変換し、信号の位相を解析することにより、光吸収体７の位置が特定できる。
【００２０】
図２は、光音響トモグラフィー装置の音響波受信部を示す図である。図１と図２で同一の構成部分には同一の符号が付されている。レーザー光源１から発せられた光は、生体表面に照射されると共に、フォト・ダイオード１１にも照射され、音響波受信部２０のタイミング制御に用いられる。音響波受信部２０にはスイッチング電源１０が接続されており、スイッチング電源１０から音響波受信部２０内の各回路に対して電力が供給される。
【００２１】
光音響波を受信するための超音波プローブ５は、１８×１８の２次元マトリックス状に配置された３２４個のトランスデューサを備えている。ここではトランスデューサとして圧電変換素子を用いたが、他の方式の素子を用いてもよい。一方、音響波受信部２０は、ｎ組（ｎ＝３２４）のＡＤ変換部１２およびデータ蓄積部（ＦＩＦＯメモリ）１３を備えている。３２４個のトランスデューサから出力されるアナログ信号は、各々対応するＡＤ変換部１２に入力され、デジタル信号に変換される。データ蓄積部１３は、ＡＤ変換部１２で変換される２０Ｈｚ周期の光音響信号を、レーザー光源１の光照射のタイミングで収集し始め、１０００データ分を蓄積する。このデータは、転送部１４によって、生体の深さ方向の位相および振幅データとして、データのシリアライザＳＷ１８へ転送される。そして、３２４チャネル分まとめられたデータは、コンピュータ（ＰＣ）１９のメモリに転送される。その後、コンピュータ１９では画像再構成処理が行われ、光音響信号の発生源を含む生体内部の情報が画像化される。
【００２２】
光音響波は血管の集まっている場所からより強く発生することがわかっているため、光音響トモグラフィーによれば、癌などのように新生血管が多く作られている場所を特定することが可能である。
【００２３】
この装置で用いられている主な数値をまとめて以下に記す。
光照射周期：１００，０００μｓｅｃ
１データのＡＤ変換時間：０．０５μｓｅｃ
データ蓄積部の蓄積数：１０００
１光照射周期でのＡＤ変換時間：５０μｓｅｃ  （＝０．０５μｓｅｃ×１０００）
【００２４】
次にスイッチング電源の構成と電源制御について説明する。
【００２５】
図３は、スイッチング電源１０の回路構成を示す図である。スイッチング電源１０の１次側回路は、１次巻線ｎ１、整流用のダイオードＤ１乃至Ｄ４、平滑用のコンデンサＣ１、トランジスタ等のスイッチング素子Ｑ１から構成される。また、２次側回路は、２次巻線ｎ２、整流用のダイオードＤ５およびＤ６、高周波成分を除去するインダクタＬ１、平滑用のコンデンサ（容量）Ｃ２から構成される。また、スイッチング電源１０は、出力電圧を一定に保つためのフィードバック回路（直流安定化回路）を備えている。ここで図８のスイッチング電源と機能的に同じ構成部分には同一の符号を付し、詳しい説明は省略する。
【００２６】
以下、本実施形態の特徴部分であるスイッチング素子Ｑ１と制御回路としてのＰＷＭ制御部２２の構成および動作について説明する。図８の構成では、スイッチング素子Ｑ１の制御信号が電圧比較器２３の出力のみから生成されていたのに対し、この実施形態では、ＰＷＭ制御部２２は電圧比較器２３の出力と制御端子から入力される発振停止信号Ｓｉｇ１とから素子Ｑ１の制御信号を生成する。
【００２７】
ＰＷＭ制御部２２の制御端子（Ｓｉｇ１）は、音響波受信部２０の信号処理回路に接続されている。図４は、本実施形態の信号処理回路の構成例を示すものである。この信号処理回路２８は、ＡＤ変換部１２と、ＦＩＦＯメモリからなるデータ蓄積部１３と、停止信号出力部２７とから構成されている。停止信号出力部２７の出力端子から出力される信号
Ｓｉｇ８が、ＰＷＭ制御部２２の制御端子に信号Ｓｉｇ１として入力される。
【００２８】
信号処理回路２８では、０．１秒毎に、１０００回のアナログ信号Ｓｉｇ１７のＡＤ変換と変換後デジタル信号Ｓｉｇ５のデータ蓄積が行われる。この蓄積されたデジタル信号は、適時、データ蓄積部１３からデジタルデータＳｉｇ４として読み出され、デジタル信号処理部であるコンピュータ１９へ送られる。なお、ＡＤ変換レートは２０ＭＨｚである。すなわち、信号処理回路２８は、０．１秒毎に、５０μｓｅｃ（＝（１／２０ＭＨｚ）×１０００）の期間、アナログ信号の処理を行うことになる。停止信号出力部２７は、ＡＤ変換部１２とデータ蓄積部１３から得られる信号Ｓｉｇ６、７を基に、アナログ信号の処理期間にＨｉ、それ以外の期間はＬｏｗとなる発振停止信号Ｓｉｇ８を生成し、出力する。この信号Ｓｉｇ８がスイッチング電源のＰＷＭ制御部２２に信号Ｓｉｇ１として入力される。
【００２９】
図５は、発振停止信号Ｓｉｇ１、ＰＷＭ制御部２２から出力されるスイッチング素子Ｑ１のゲート制御信号ＰＷＭ、スイッチング素子Ｑ１のドレイン−ソース間電圧Ｑ１＿ＶＳＤの例を示している。Ｔ３は、１光照射周期であり、Ｔ４は、アナログ信号の処理期間、Ｔ５は、アナログ信号の処理を行っていない期間を示している。ここでは、Ｔ３＝０．１ｓｅｃ、Ｔ４＝５０μｓｅｃ、Ｔ５＝９９９５０μｓｅｃである。ＰＷＭ制御部２２は、発振停止信号Ｓｉｇ１がＨｉとなる期間Ｔ４は、スイッチング素子Ｑ１のオン／オフ動作を止め、他の期間Ｔ５では通常通り電圧比較器２３の出力に基づきＰＷＭ制御信号を出力しＱ１のオン／オフ動作を制御する。したがって、発振停止信号のＴ４を停止期間、Ｔ５を発振期間と呼ぶこともできる。
【００３０】
以上述べたように本実施形態の構成によれば、アナログ信号の処理期間Ｔ４のあいだスイッチング素子Ｑ１のスイッチング動作が停止するため、電気的ノイズの発生を防ぐことができ、Ｓ／Ｎの低下を抑制できる。なお、アナログ信号の処理期間Ｔ４のあいだの電流は、２次側のコンデンサＣ２およびインダクタＬ１より供給する。このため、あまり長い時間、発振を停止すると、出力電圧の低下を招く。しかしながら、本実施形態の構成では、停止期間は５０μｓｅｃであり、１次側の平均発振期間２０μｓｅｃと比べて電圧低下は許容できる範囲である。
【００３１】
（第２実施形態）
図６を参照して、本発明の第２実施形態について説明する。第１実施形態では、ＡＤ変換とデジタルデータの記憶に要する期間のあいだスイッチング動作を停止していたのに対し、第２実施形態では、積分回路でアナログ信号の積分を行う期間のあいだスイッチング動作を停止する。スイッチング電源１０の構成（図３参照）は、第１実施形態のものと同じであるため、説明を省略する。
【００３２】
図６は、本実施形態の信号処理回路の構成例を示している。この信号処理回路３３は、超音波プローブから得られたアナログ信号の積分を行うためのアナログ信号積分装置である。信号処理回路３３は、演算アンプ３１、抵抗３０、および、コンデンサ２９からなる積分回路と、この積分回路の動作と同期して発振停止信号を出力する停止信号出力部３２と、を備えている。積分回路に入力されるアナログ信号Ｓｉｇ９は、抵抗３０とコンデンサ２９で決められる時定数のあいだ累積され、その積分結果が信号Ｓｉｇ１０として出力される。
【００３３】
停止信号出力部３２には、不図示のタイミング回路より積分開始タイミングを示す信号Ｓｉｇ１１が入力される。停止信号出力部３２は、このタイミング信号Ｓｉｇ１１で立ち上がり、積分終了タイミングで立ち下がる発振停止信号Ｓｉｇ１２を生成し、出力する。この発振停止信号Ｓｉｇ１２が、図３のＰＷＭ制御部２２に信号Ｓｉｇ１として入力され
る。なお、停止信号出力部３２は、タイマやカウンタで構成可能である。
【００３４】
本実施形態では、１００ＫΩの抵抗３０と０．１μＦのコンデンサ２９を用いた。この回路の時定数はＣ×Ｒで求められ、１０μｓｅｃとなる。また、信号Ｓｉｇ１０の電圧は、Ｖｓｉｇ１０＝Ｖｓｉｇ９［１−ｅ−ｔ／Ｃ・Ｒ］となる。ここで、Ｖｓｉｇ１０：出力電圧（Ｖ）、Ｖｓｉｇ９：入力電圧（Ｖ）、Ｃ：抵抗３０の抵抗値（Ω）、Ｒ：コンデンサ２９の容量（Ｆ）、ｅ：自然対数の底（２．７１８２８）、ｔ：充電開始後の経過時間（秒）である。
【００３５】
入力信号Ｓｉｇ９の電圧Ｖｓｉｇ９を９９．８％まで積分し、出力信号Ｓｉｇ１０の電圧Ｖｓｉｇ１０を得るとすると、その積分処理に要する時間ｔは、約６０μｓｅｃとなる。たとえば０．１秒毎に積分処理が実行される場合、停止信号出力部３２は、約６０μｓｅｃの停止期間（図５のＴ４参照）が０．１秒毎に現れる発振停止信号Ｓｉｇ１２を出力する。
【００３６】
ＰＷＭ制御部２２は、発振停止信号Ｓｉｇ１２がＨｉとなる期間（約６０μｓｅｃ）は、スイッチング素子Ｑ１のオン／オフ動作を止め、他の期間では通常通り電圧比較器２３の出力に基づきＰＷＭ制御信号を出力する。本実施形態の構成によれば、アナログ信号の積分処理が行われるあいだスイッチング素子Ｑ１のスイッチング動作が停止するため、電気的ノイズの発生を防ぐことができ、Ｓ／Ｎの低下を抑制できる。なお、スイッチング動作停止中は、２次側のコンデンサＣ２およびインダクタＬ１より電流を供給する。このため、あまり長い時間、発振を停止すると、出力電圧の低下を招く。しかしながら、本実施形態の構成では、停止期間は６０μｓｅｃであり、１次側の平均発振期間２０μｓｅｃと比べて電圧低下は許容できる範囲である。
【００３７】
（第３実施形態）
図７を参照して、本発明の第３実施形態について説明する。第３実施形態では、サンプル・ホールド回路でアナログ信号を保持する期間のあいだスイッチング動作を停止する。スイッチング電源１０の構成（図３参照）は、第１実施形態のものと同じであるため、説明を省略する。
【００３８】
図７は、本実施形態の信号処理回路の構成例を示している。この信号処理回路３９は、超音波プローブから得られたアナログ信号の瞬時値をサンプリングして、所定の期間ホールドするためのアナログ信号サンプル・ホールド装置である。信号処理回路３９は、演算アンプ３６、抵抗３５、コンデンサ３４、および、スイッチ３７からなるサンプル・ホールド回路と、このサンプル・ホールド回路の動作と同期して発振停止信号を出力する停止信号出力部３８と、を備えている。スイッチ３７が閉じられると、入力アナログ信号Ｓｉｇ１３の値がコンデンサ３４に保持され、スイッチ３７が開くと、ホールドされた値が信号Ｓｉｇ１４として出力される。
【００３９】
停止信号出力部３８には、スイッチ３７の制御信号Ｓｉｇ１５が入力される。停止信号出力部３８は、信号Ｓｉｇ１５をカウントすることにより、サンプル・ホールド処理が行われる期間はＨｉ、それ以外の期間はＬｏｗとなる発振停止信号Ｓｉｇ１６を生成し、出力する。この信号Ｓｉｇ１６がスイッチング電源のＰＷＭ制御部２２に信号Ｓｉｇ１として入力される。なお、停止信号出力部３８は、タイマやカウンタで構成可能である。
【００４０】
本実施形態の回路では、１回のサンプル・ホールド処理に１μｓｅｃの時間がかかり、０．１秒毎に５０回のサンプル・ホールド処理が実行される。したがって、停止信号出力部３８は、５０μｓｅｃの停止期間（図５のＴ４参照）が０．１秒毎に現れる発振停止信号Ｓｉｇ１６を出力する。
【００４１】
ＰＷＭ制御部２２は、発振停止信号Ｓｉｇ１６がＨｉとなる期間（５０μｓｅｃ）は、スイッチング素子Ｑ１のオン／オフ動作を止め、他の期間では通常通り電圧比較器２３の出力に基づきＰＷＭ制御信号を出力する。本実施形態の構成によれば、アナログ信号のサンプル・ホールド処理が行われるあいだスイッチング素子Ｑ１のスイッチング動作が停止するため、電気的ノイズの発生を防ぐことができ、Ｓ／Ｎの低下を抑制できる。なお、スイッチング動作停止中は、２次側のコンデンサＣ２およびインダクタＬ１より電流を供給する。このため、あまり長い時間、発振を停止すると、出力電圧の低下を招く。しかしながら、本実施形態の構成では、停止期間は５０μｓｅｃであり、１次側の平均発振期間２０μｓｅｃと比べて電圧低下は許容できる範囲である。
【符号の説明】
【００４２】
１０…スイッチング電源、２２…ＰＷＭ制御部、２８，３３，３９…信号処理回路、Ｑ１…スイッチング素子
【図１】
2011067518.tif 000003
【図２】
2011067518.tif 000004
【図３】
2011067518.tif 000005
【図４】
2011067518.tif 000006
【図５】
2011067518.tif 000007
【図６】
2011067518.tif 000008
【図７】
2011067518.tif 000009
【図８】
2011067518.tif 000010
【図９】
2011067518.tif 000011